(57)【特許請求の範囲】
【請求項１】
液晶パネルと、
前記液晶パネルの外側周辺に位置する前フレームと、
固定ケースであって、前記固定ケースは、前記液晶パネルの前記前フレームと互いに異なる他側面にロックされ、前記固定ケースの互いに異なる両側辺がそれぞれ少なくとも１つの嵌合溝を含む固定ケースと、
後殻であって、前記後殻上に通孔及び少なくとも２つのフレキシブルな嵌合部を含み、前記固定ケースが前記通孔に置かれる時、前記嵌合部は、前記嵌合溝と相互に嵌合する後殻と、
を含み、前記前フレーム及び前記後殻は、前記液晶パネル及び前記固定ケースを覆い、固定するディスプレイ構造。
【請求項２】
前記固定ケース上に少なくとも１つの支持ブロックを更に含み、前記嵌合部及び前記嵌合溝が相互に嵌合する時、前記支持ブロックが前記後殻を支持する請求項１に記載のディスプレイ構造。
【請求項３】
前記嵌合部は、更に突出ブロックを含み、前記嵌合部及び前記嵌合溝が相互に嵌合する時、前記突出ブロックが前記嵌合溝内に位置する請求項１に記載のディスプレイ構造。
【発明の詳細な説明】
【技術分野】
【０００１】
本発明は、ディスプレイ構造に関し、特に、多種の規格の回路板に取り付け固定し、適用可能なディスプレイ構造に関する。
【背景技術】
【０００２】
近年より、従来の陰極線管ディスプレイ（即ち、俗称ＣＲＴディスプレイ）は、徐々に平面ディスプレイにより取って代わられ、主な原因は、平面ディスプレイが放出する輻射量がＣＲＴディスプレイより遥かに小さいことにある。また、平面ディスプレイは、この数年の製造コストが顕著に低減され、これも平面ディスプレイは、徐々にテレビ又はコンピュータスクリーン市場の主流となっている原因である。また、平面ディスプレイは、従来の陰極線管を使用したテレビに比較し、より軽く、薄いので、駅、病院、コンビニエンスストア又は映画館等の公共の場所において、何れも益々多くの平面ディスプレイを見つけることができ、該平面ディスプレイは、ビデオ情報の表示に用いることができるだけでなく、更に広告の目的に用いることができ、その商業上の応用は、益々広くなっていると述べることができる。
【０００３】
一般的に、広義の平面ディスプレイは、液晶ディスプレイ、液晶テレビ又は一体型機(All-In-One：AIO)等を含む。如何なるタイプの平面ディスプレイであるかを問わず、通常、何れも液晶パネル及び該液晶パネルの制御回路板から構成されるので、人々は、複数の回路板の制御によって、該液晶パネルが呈する鮮やかな画面を観賞することができる。
【０００４】
従来において、液晶パネルを制御する複数の回路板は、何れも金属材質の金属ケースを介して液晶パネルと結合するものであり、その目的は、該回路板を固定、保護し、電磁干渉(Electromagnetic Interference：EMI)を防止することである。しかしながら、金属材質のコストが比較的高く、重量が比較的重く、平面ディスプレイの薄型化、重量の軽減の要求に適合しない。また、該金属ケース及び液晶パネルは、何れも該平面ディスプレイの前フレーム及び後殻を介して、結合、固定する必要があり、機械結合強度及び組み立て分解の利便の考慮に基づき、その構造上の安定性及び利便性も過酷な試験に直面している。
【０００５】
従って、如何に該平面ディスプレイの生産コストを低減し、重量を軽減し、薄型化の要求を満足し、該平面ディスプレイの機械結合強度及び組み立て分解の利便を兼ね備えるかは、当業者の努力の目標である。
【発明の概要】
【発明が解決しようとする課題】
【０００６】
本発明の目的は、該平面ディスプレイの生産コストを低減し、重量を軽減し、薄型化の要求を満足することにある。
【０００７】
本発明のもう１つの目的は、平面ディスプレイの機械結合強度及び組み立て分解の利便を兼ね備えることである。
【課題を解決するための手段】
【０００８】
上記の目的を達成する為、本発明が提供するディスプレイ構造は、液晶パネルと、前フレームと、後殻と、固定ケースと、を含む。該前フレームは、該液晶パネルの外側周辺に位置し、該固定ケースは、該液晶パネルの該前フレームと互いに異なる他側面にロックされ、該固定ケースの互いに異なる二側辺には、それぞれ少なくとも１つの嵌合溝を含む。該後殻上に通孔及び少なくとも２つのフレキシブルな嵌合部を含み、該固定ケースが該通孔内に置かれる時、該嵌合部は、該嵌合溝と相互に嵌合することができる。そのうち、該前フレーム及び該後殻は、該液晶パネル及び該固定ケースをコーティングし、固定する。
【０００９】
上記のディスプレイ構造において、該固定ケースは、複数の螺子を介して該液晶パネル上にロックされる。
【００１０】
上記のディスプレイ構造において、該嵌合部は、該通孔の周辺に近隣する。
【００１１】
上記のディスプレイ構造において、該固定ケース内は、金属材質の防護部材を設置する。該防護部材は、薄片状、薄板状又は網状構造を呈し、且つ該固定ケースの内表面、外表面に設置されるか、該固定ケース内部に嵌合される。
【００１２】
上記のディスプレイ構造において、該固定ケース上に少なくとも１つの支持ブロックを含み、該嵌合部及び該嵌合溝が嵌合する時、該支持ブロックが該後殻の嵌合部を支持する。
【００１３】
上記のディスプレイ構造において、該嵌合部は、更に突出ブロックを含み、該嵌合部及び該嵌合溝が嵌合する時、該突出ブロックが該嵌合溝内に位置する。該嵌合部は、更に把手部を含み、該突出ブロックが該把手部側辺に位置し、該把手部を押し引きする時、該突出ブロックが微小幅振動を呈することができる。
【発明の効果】
【００１４】
このように、本発明が記載するディスプレイ構造は、生産コストを低減し、重量を軽減し、薄型化の要求を満足し、該ディスプレイ構造の機械結合強度及び組み立て、分解の利便を兼ね備える等を兼ね備え、非常に便利で、且つ膨大な応用潜在力を有することができる。
【図面の簡単な説明】
【００１５】
【図１】本発明のディスプレイ構造の立体分解図である。
【図２】本発明のディスプレイ構造の後殻及び固定ケースの結合前の説明図である。
【図３】本発明のディスプレイ構造の後殻及び固定ケースの結合前の断面説明図である。
【図４】本発明のディスプレイ構造の後殻及び固定ケースの結合後の説明図である。
【発明を実施するための形態】
【００１６】
当業者に本発明の目的、特徴及び利点を深く理解させるため、下記に具体的実施例を挙げ、図面に合わせて本発明に対し詳細に説明を行う。
【００１７】
図１〜図３を同時に参照し、図１が示すのは、本発明のディスプレイ構造の立体分解図であり、図２が示すのは、ディスプレイ構造の後殻及び固定ケースの結合前に説明図であり、図３が示すのは、ディスプレイ構造の後殻及び固定ケースの結合前の断面説明図である。図１〜図３に示すように、ディスプレイ構造１は、液晶パネル１５と、前フレーム１６と、後殻１７と、固定ケース１４と、を含む。該前フレーム１６は、フレーム構造であり、且つ該液晶パネル１５の外側（即ち、該液晶パネル１５の下方）周辺に位置する。該固定ケース１４は、該液晶パネル１５は、該前フレーム１６と互いに異なる他側面にロックされ、即ち、該固定ケース１４は、複数の螺子１８を介し、該液晶パネル１５の上側面にしっかりと固定され、該固定ケース１４の左側辺は、嵌合溝１４１及び支持ブロック１４２を含み、右側辺にも嵌合溝１４１及び支持ブロック１４２を含み、従って、左右両側辺の２つの嵌合溝１４１が互いに対称を呈し、左右両側辺の２つの支持ブロックも互いに対称を呈する。該後殻１７上に通孔１７１及び２つの嵌合部１７３を含み、該通孔１７１が該後殻１７上に位置し、上下の方向に該後殻１７を貫通する。左右の両嵌合部１７２は、何れも該通孔１７１の周辺に近隣し、該嵌合部１７２がフレキシブル性を有し、且つ各嵌合部１７２は、何れも突出ブロック１７３及び把手部１７４を含み、該突出ブロック１７３は、該把手部１７４側辺に位置する。従って、左右の方向に該把手部１７４を押し引きする時、該突出ブロック１７３は、微小幅振動を呈することができる。
【００１８】
図４を参照し、図４が示すのは、ディスプレイ構造の後殻及び固定ケースの結合後の説明図である。該ディスプレイ構造１の薄型化の要求を満足する為、該ディスプレイ構造１の機械結合強度及び組み立て分解の利便を兼ね備え、本発明のディスプレイ構造１は、該固定ケース１４及び該後殻１７を結合する。結合時、図３及び図４に示すように、該固定ケース１４を該後殻１７の通孔１７１内に置き、左辺の嵌合部１７２及び左辺の嵌合溝１４１を相互に嵌合させ、右辺の嵌合部１７２及び右辺の嵌合溝１４１を相互に嵌合させる。嵌合が完成した後、図４に示すように、該支持ブロック１４２は、該後殻１７の嵌合部１７２下方に位置し、該嵌合部１７２を支持し、該固定ケース１４上方の上面１４Ａが該後殻１７、嵌合部１７２の上方と揃えられる。また、結合する機械強度を増強する為、該突出ブロック１７３は、該嵌合溝１４１内に位置する。好適実施例において、該突出ブロック１７３及び該嵌合溝１４１は、しっかり組み合わさった状態（フィット）を呈する。更に、該固定ケース１４及び該後殻１７を開放する場合、手指で該把手部１７４を押し動かし、該突出部１７３を該嵌合溝１４１から離し、該固定ケース１４及び該後殻１７を分離することができる。従って、本発明のディスプレイ構造１は、迅速な組み立て、迅速な分解の効果を有し、更に同時に十分な機械結合強度を有する。
【００１９】
更に、該固定ケース１４内に複数の回路板（図示せず）を収容することができ、該固定ケース１４及び該液晶パネル１５がロックし、結合する時、複数の回路板を該液晶パネル１５の上側面に固定し、該液晶パネル１５のイメージ表現を制御することに用いることができるので、該固定ケース１４は、該回路板を保護、固定する効果を有する。好適実施例において、該固定ケース１４の材質は、プラスチック、樹脂又は高分子重合体であることができ、従って、ディスプレイ構造１全体の重量が比較的軽く、コストも金属材質に比べ低い。
【００２０】
また、電磁干渉(Electromagnetic Interference：EMI)による該回路板の正常機能を乱すことを防止する為、該固定ケース１４内には、更に金属材質の防護部材１４３を設置することができ、該防護部材１４３は、薄片状を呈することができ、該防護部材１４３に固定ケース１４全体の内表面、外表面を敷き詰めさせるか、該固定ケース１４内部に嵌合させ、該固定ケース１４内の複数の回路板を覆うことに用いる。従って、外部から来る電磁波、ノイズ又はその他の強大の干渉源が該回路板の正常動作を破壊、緩衝することを防止することができる。当然ながら、好適実施例において、該防護部材１４３は、該固定ケース１４の内表面に設置され、接地(Grounding)を与えるので、好適実施例の電磁防護効果を受けることができる。
【００２１】
これにより、該固定ケース１４が複数の回路板を収容後、該液晶パネル１５とロックされ、結合固定され、その後、該後殻１７の通孔１７１内に結合し、該後殻１７、固定ケース１４、液晶パネル１５を順に上から下に配列し、結合する。最後に、該前フレーム１６及び該後殻１７を結合し、このように、該前フレーム１６及び該後殻１７は、該液晶パネル１５及び該固定ケース１４を内に覆い、固定することができ、出荷に要求される機械結合強度を達成する。
【００２２】
上記のように、本発明のディスプレイ構造は、生産コストを低減することができ、重量を軽減し、薄型化の要求を満足し、該ディスプレイ構造の機械結合強度及び組み立て、分解の利便を兼ね備え、非常に便利であり、且つ大きな応用潜在力を有する。
【００２３】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２４】
１…ディスプレイ構造、
１４…固定ケース、
１４Ａ…上面、
１４１…嵌合溝、
１４２…支持ブロック、
１４３…防護部材、
１５…液晶パネル、
１６…前フレーム、
１７…後殻、
１７１…通孔、
１７２…嵌合部、
１７３…突出ブロック、
１７４…把手部、
１８…螺子。
【図１】
0005233052.tif 000002
【図２】
0005233052.tif 000003
【図３】
0005233052.tif 000004
【図４】
0005233052.tif 000005